(57)【要約】      （修正有）【課題】工具を保持するケースとして安価に組み立てが容易且つ強度を有し、ベルト取付可能な小物入れを提供する。【解決手段】工具を収納する収納部と該収納部をベルトに吊下保持するためのベルト係合部とを、比較的硬質な所定の硬度で比較的薄いポリクロロプレン製ゴム層と、該ポリクロロプレン製ゴム層に比して軟質な硬度且つ厚みが前記ポリクロロプレン製ゴム層の厚みに比して３倍の厚みのポリウレタン製ゴム層とを積層したシート基材を所定形状の本体ユニット１０とカバーユニット２０として成形する。さらに、前記本体ユニット１０の係合部１４の係止爪を折りたたんで前記カバーユニット２０のスリット２１に挿入し、該スリット２１に挿入した係合部１４の係止爪が弾性復元力によって元の形状に復元するように構成する。【選択図】図１
0003169648.tif 000002
【実用新案登録請求の範囲】
【請求項１】
小物を収納する収納部と該収納部をベルトに吊下保持するためのベルト係合部とを備え、該収納部及びベルト係合部に可撓性及び弾性復元力のあるシート基材を用いたベルト取付用小物入れであって、
該シート基材を、スリット及び係止爪付きの係合部を有する収納部及びベルト係合部を構成する複数の部位を所定形状に成形し、前記複数の部位を、前記係合部の係止爪及び突起を折りたたんでスリットに挿入し、該スリットに挿入した係合部の係止爪及び突起が弾性復元力によって元の形状に復元するように構成したことを特徴とするベルト取付用小物入れ。
【請求項２】
小物を収納する収納部と該収納部をベルトに吊下保持するためのベルト係合部とを備え、該収納部及びベルト係合部に可撓性及び弾性復元力のあるシート基材を用いたベルト取付用小物入れであって、
前記シート基材を、スリット及び係止爪付きの係合部を有する長尺状の本体ユニットと、スリットを有して前記長尺状の本体ユニットを覆うように湾曲するカバーユニットとを所定形状に成形し、前記本体ユニットの係合部の係止爪を折りたたんで前記カバーユニットのスリットに挿入し、該スリットに挿入した係合部の係止爪が弾性復元力によって元の形状に復元するように構成したことを特徴とするベルト取付用小物入れ。
【請求項３】
小物を収納する収納部と該収納部をベルトに吊下保持するためのベルト係合部とを備え、該収納部及びベルト係合部に可撓性及び弾性復元力のあるシート基材を用いた上面開放箱形状のベルト取付用小物入れであって、
前記シート基材を、ベルト取付用小物入れの箱形形状の四辺形前面を構成する前面部と、該前面部の両側から側方に向かって延び、ベルト取付用小物入れ前面の縦方向に向かって開口された複数の第１スリット並びに係止爪を有してホルダ横方向に延びる複数の係合部が設けられ、ベルト取付用小物入れの両側面を構成する一対の側面部と、前記前面部と一側縁が接し、前記第１スリットと同方向に開口された複数の第２スリットが開口されてベルト取付用小物入れの底面を構成する底面部と、前記一対の側面部から前記第１スリットと同方向に延び、複数の突起を有して前記第２スリットに挿入固定される一対の底面取付部と、前記底面部の他側縁と接し、前記一対の側面部の第１スリットに挿入固定するための係止爪を有する複数の係合部並びに該側面部の係合部が挿入固定される第３スリット及び前記第１スリットに対して垂直方向に開口した第４スリットとを有してベルト取付用小物入れの背面を形成する背面部と、該背面部の他側縁と接し、作業者のベルトに装着するための湾曲部分を形成するベルト通し部と、該ベルト通し部の他側縁と接し、前記背面部の表裏面を交互に通すように第４スリットに挿入固定されるベルト係合部との各部位を構成するように成形し、
前記突起部を折りたたんだ状態の底面取付部を、前記底面部の表裏面を交互に通すように複数の第２スリットに挿入することにより底面部に対して前面部を直立させ、該直立した前面部に一対の側面部と背面部とを上面開放箱形状に組み立て、前記一対の側面部の係合部の係止爪を折りたたんだ状態で背面部の第３スリットに挿入し、該背面部の係合部の係止爪を折りたたんだ状他で一対の側面部の第１スリットに挿入し、前記ベルト係合部を突起を折りたたんだ状態で背面部の表裏面を通すように複数の第４スリットに交互に挿入することによりベルト通し部を背面部に取り付けるように構成されていることを特徴とするベルト取付用小物入れ。
【請求項４】
前記シート基材を、比較的硬質な所定の硬度で比較的薄い第１ゴム層と、該第１ゴム層に比して軟質な硬度且つ厚みが前記第１層の厚みに比して３倍の厚みの第２ゴム層とを積層して構成したことを特徴とする請求項１から３何れかに記載のベルト取付用小物入れ。
【請求項５】
前記第１ゴム層をポリクロロプレン製ゴムとし、前記第２ゴム層をポリウレタン製ゴムとしたことを特徴とする請求項４記載のベルト取付用小物入れ。
【考案の詳細な説明】
【技術分野】
【０００１】
本考案は、各種ベルトに取付けて使用する小物入れであって、例えば、作業員が主に腰ベルトに装着して充電式ドライバーやハンマーなどの工具を保持する工具ホルダや携帯電話ケースに係り、特に安価に製造が容易なベルト取付用小物入れに関する。
【背景技術】
【０００２】
一般に作業員が主に腰ベルトに装着する工具ホルダは、高強度の特殊ナイロン織布や革等を縫い合わせ又はリベット留めによって筒状または袋状に形成し、その側部に作業者の腰ベルトなどを挿通するベルト通し部などのアタッチメントを設けるように構成されており、従来技術が記載された文献としては下記の特許文献１が挙げられる。
このような織布や革等を縫い合わせ又はリベット留めによって筒状または袋状に形成する工具ホルダは、複数の工具を収納することができるものの、高価な特殊ナイロン織布や革等を折り曲げて縫い合わせ等が必要なため、製造が煩雑であった。また縫製の一部が切れてしまうと、その部分から解れが全体に広がって使用できなくなるといった問題もあった。
【０００３】
なお、工具用ではないが、携帯電話を収納するケース構造技術が記載された文献としては、下記の特許文献２が挙げられ、この特許文献２には、上下方向に延びた帯状部と両端方向に延び且つ複数の横方向スリットが設けられた羽根部とを有する本体部を一枚の皮革性のシート材料から形成し、前記羽根部を重ねて折りたたみ、この折りたたんだ羽根部の複数横スリットに前記帯部を貫通させることによってケースを組み立てる技術が記載されている。
【先行技術文献】
【特許文献】
【０００４】
【特許文献１】特開２００８−１４９４２９号公報
【特許文献２】特開２００７−１９０１０３号公報
【考案の概要】
【考案が解決しようとする課題】
【０００５】
前記特許文献２に記載された技術は、重ねて折りたたんだ皮革性シートの羽根部の複数横スリットに剛性の皮革性帯状部を上下に縫うように差し込んで組み立てるため、組立が困難であると共に、皮革性のために材料原価が高価になるという課題があった。
【０００６】
本考案の目的は、前述の従来技術による課題を解決することであり、縫製に頼ることなく、安価に組み立てが容易且つ十分な強度を有する小物入れを提供することである。
【課題を解決するための手段】
【０００７】
前記目的を達成するために本考案は、小物を収納する収納部と該収納部をベルトに吊下保持するためのベルト係合部とを備え、該収納部及びベルト係合部に可撓性及び弾性復元力のあるシート基材を用いたベルト取付用小物入れであって、該シート基材を、スリット及び係止爪付きの係合部を有する収納部及びベルト係合部を構成する複数の部位を所定形状に成形し、前記複数の部位を、前記係合部の係止爪及び突起を折りたたんでスリットに挿入し、該スリットに挿入した係合部の係止爪及び突起が弾性復元力によって元の形状に復元するように構成したことを特徴とする。
【０００８】
また、本考案は、小物を収納する収納部と該収納部をベルトに吊下保持するためのベルト係合部とを備え、該収納部及びベルト係合部に可撓性及び弾性復元力のあるシート基材を用いたベルト取付用小物入れであって、前記シート基材を、スリット及び係止爪付きの係合部を有する長尺状の本体ユニットと、スリットを有して前記長尺状の本体ユニットを覆うように湾曲するカバーユニットとを所定形状に成形し、前記本体ユニットの係合部の係止爪を折りたたんで前記カバーユニットのスリットに挿入し、該スリットに挿入した係合部の係止爪が弾性復元力によって元の形状に復元するように構成したことを特徴とする。
【０００９】
また、本考案は、小物を収納する収納部と該収納部をベルトに吊下保持するためのベルト係合部とを備え、該収納部及びベルト係合部に可撓性及び弾性復元力のあるシート基材を用いた上面開放箱形状のベルト取付用小物入れであって、
前記シート基材を、ベルト取付用小物入れの箱形形状の四辺形前面を構成する前面部と、該前面部の両側から側方に向かって延び、ベルト取付用小物入れ前面の縦方向に向かって開口された複数の第１スリット並びに係止爪を有してホルダ横方向に延びる複数の係合部が設けられ、ベルト取付用小物入れの両側面を構成する一対の側面部と、前記前面部と一側縁が接し、前記第１スリットと同方向に開口された複数の第２スリットが開口されてベルト取付用小物入れの底面を構成する底面部と、前記一対の側面部から前記第１スリットと同方向に延び、複数の突起を有して前記第２スリットに挿入固定される一対の底面取付部と、前記底面部の他側縁と接し、前記一対の側面部の第１スリットに挿入固定するための係止爪を有する複数の係合部並びに該側面部の係合部が挿入固定される第３スリット及び前記第１スリットに対して垂直方向に開口した第４スリットとを有してベルト取付用小物入れの背面を形成する背面部と、該背面部の他側縁と接し、作業者のベルトに装着するための湾曲部分を形成するベルト通し部と、該ベルト通し部の他側縁と接し、前記背面部の表裏面を交互に通すように第４スリットに挿入固定されるベルト係合部との各部位を構成するように成形し、
前記突起部を折りたたんだ状態の底面取付部を、前記底面部の表裏面を交互に通すように複数の第２スリットに挿入することにより底面部に対して前面部を直立させ、該直立した前面部に一対の側面部と背面部とを上面開放箱形状に組み立て、前記一対の側面部の係合部の係止爪を折りたたんだ状態で背面部の第３スリットに挿入し、該背面部の係合部の係止爪を折りたたんだ状他で一対の側面部の第１スリットに挿入し、前記ベルト係合部を突起を折りたたんだ状態で背面部の表裏面を通すように複数の第４スリットに交互に挿入することによりベルト通し部を背面部に取り付けるように構成されていることを特徴とする。
【００１０】
更に本考案は、前記何れかの特徴のベルト取付用小物入れにおいて、前記シート基材を、比較的硬質な所定の硬度で比較的薄い第１ゴム層と、該第１ゴム層に比して軟質な硬度且つ厚みが前記第１層の厚みに比して３倍の厚みの第２ゴム層とを積層して構成したことを第４の特徴とし、該第４の特徴のベルト取付用小物入れにおいて、前記第１ゴム層をポリクロロプレン製ゴムとし、前記第２ゴム層をポリウレタン製ゴムとしたことを特徴とする。
【考案の効果】
【００１１】
本考案によるベルト取付用小物入れは、可撓性及び弾性復元力のあるシート基材を用い、該シート基材を、スリット及び係止爪付きの係合部を有する収納部及びベルト係合部を構成する複数の部位を所定形状に成形し、前記複数の部位を、前記係合部の係止爪及び突起を折りたたんでスリットに挿入し、該スリットに挿入した係合部の係止爪及び突起が弾性復元力によって元の形状に復元するように構成したことによって、スリットに挿入した係合部が厚みと強度のあるシート基材によって強固に各部位を連結し、安価に組み立てが容易且つ強度を有する小物入れを提供することができる。また、縫製により各部を固定していないので、縫製が解れてしまうこともない。
【図面の簡単な説明】
【００１２】
【図１】本考案の第１の実施形態による小物入れの外観を示す全体斜視図。
【図２】本考案の第１の実施形態による小物入れの本体ユニットを示す図。
【図３】本考案の第１の実施形態による小物入れのカバーユニットを示す図。
【図４】本考案の第１の実施形態による小物入れの組立工程を説明するための図。
【図５】本考案の第２の実施形態による小物入れの外観を示す全体斜視図。
【図６】本考案の第２の実施形態による小物入れの展開図。
【図７】本考案の第２の実施形態による小物入れの組立工程を説明するための図。
【考案を実施するための形態】
【００１３】
以下、本考案による小物入れの複数の実施形態を図面を参照して詳細に説明する。
［第１実施形態］
本考案の第１実施形態による小物入れは、図１に示す如く、折曲して作業員等のベルトを貫通させるためのベルト通し部１１を一端に構成する長尺状の本体ユニット１０と、該本体ユニット１０の他端を湾曲して覆うことによって小物を収納する筒状袋を構成するカバーユニット２０とから構成され、該長尺状の本体ユニット１０は、図２に示す如く、図面の下側両側から横方に延び、端部に後述するスリット幅より幅広な係止爪を有する４つの係合部１４と、横方向に開口された３つのベルト止めスリット１６と、上側の一端に細形状に狭められて延び、作業者のベルトに掛けられる部分となるベルト通し部１１と、該ベルト通し部１１の上端に設けられ、前記ベルト止スリット１６に挿入される係止爪を有するベルト止係合部１３と、作業員が小物の落下防止用のケーブルの他端を留めるための孔部１２とから構成され、前記カバーユニット２０は、図３（ａ）に示す如く、逆台形形状の１枚のシート状部材からなり、下方の両側面に前記本体ユニット１０の下方側面から延びる係合部１４を挿入して留めるために斜め縦方向に開口された４つのスリット２１と、中央に飾り兼湾曲を容易にするために矢印形状に開口された一対の装飾開口部２２とから構成される。
【００１４】
前記カバーユニット２０は、側面を表す図３（ｂ）に示す如く、可撓性があり比較的硬質で厚さが１ｍｍのポリクロロプレン製のゴム層２０ａと、該ポリクロロプレン製のゴム層２０ａと接着された可撓性があり比較的軟質な厚さ３ｍｍのポリウレタン製のゴム層２０ｂとから構成され、カバーユニット２０も同様にポリクロロプレン製のゴム層２０ａとポリウレタン製のゴム層２０ｂとを接着して構成され、前記各層の材質によって湾曲又は折曲しても元の形状に復元する２層構造によって可撓性及び弾性復元力のあるシート基材を構成している。
【００１５】
前記ポリクロロプレン製のゴム層２０ａは、耐酸性、耐オゾン性、耐熱性、耐薬品性など平均した特性を持ち、ポリウレタンゴム層２０ｂは、強度が大きく、耐摩耗性、耐油性、耐オゾン性が優れた特性を持ち、これらゴム層２０ａ及び２０ｂを貼り合わせたことによって、強度があり且つ軽量安価な可撓性及び弾性復元力を有するシート基材を構成し、特に前記ポリクロロプレン製のゴム層２０ａは強度があるため鋭利な小物を収納した際にも破損を防止することができる。
【００１６】
このように構成された第１実施形態による小物入れは、図４に示す如く、本体ユニット１０のベルト止め係合部１３を後方（裏面側）に湾曲させ、ベルト止め係合部１３の係止爪を折りたたんだ状態で、任意のベルト止め係合スリット１６に挿入することによって、前記ベルト通し部１１が形成され、このとき、前記ベルト止め係合スリット１６を通過したベルト止め係合部１３の係止爪は弾性復元力によって元の係止爪形状に復元することによってスリットから抜けることを防止する。
【００１７】
更に、本小物入れは、前記カバーユニット２０のスリット２１に本体ユニット１０の係合部１４の係止爪を折りたたんで外側から覆うように挿入することによって図１に示した如き形状の小物入れを組み立てることができる。前記係合部１４の係止爪は、シート基材が軟質であることから折曲し且つ元の形状に復元することによってスリット２１から係合部１４が抜けることを防止する。
【００１８】
特に本実施形態による小物入れは、本体ユニット１０の可撓性を持ち且つ厚みが４ｍｍの係合部１４をカバーユニット２０のスリット２１に係止爪を折りたたんだ状態で挿入し、形状が復元した係止爪が抜け止めになるため、重量物である小物を収納した際にも係合部がスリットから抜け落ちることなく、強固に保持することができ、ベルト止め係合部１３をベルト止めスリット１６に同様に挿入し、該係合部１３先端の係止爪部分が抜け止めになるため、作業員のベルトから小物入れが抜け落ちることを防止することができる。
【００１９】
［第２実施形態］
本考案の第２実施形態による小物入れは、複数の小物を収納して作業員等のベルトに掛ける上面が開放した箱形状のケースであって、１枚のシートから構成され、展開状態を表す図６に示す如く、ベルト取付用小物入れの箱形形状の四辺形前面を構成する前面部Ｄと、該前面部Ｄの両側から側方に向かって延び、ベルト取付用小物入れ前面の縦方向に向かって開口されたスリットｆ５〜ｆ８並びに後述するベルト取付用小物入れの背面部Ｂのスリットに挿入して取り付けるための係止爪を有する係合部ｆ１〜ｆ４とが設けられ、ベルト取付用小物入れの両側面を構成する側面部Ｆ１及びＦ２と、前記前面部Ｄと一側縁が接し、前記スリットｆ５〜ｆ８と同方向に開口された複数のスリットｃ１〜ｃ５が設けられてベルト取付用小物入れの底面を構成する底面部Ｃと、前記側面部Ｆ１及びＦ２から前記スリットｃ１〜ｃ５と同方向に延び、突起ｇ２を有して該スリットｃ１〜ｃ５に挿入固定されることにより底面部Ｃに取り付けられる底面取付部Ｇ１及びＧ２と、前記底面部Ｃの他側縁と接し、前記側面部Ｆ１及びＦ２のスリットｆ５〜ｆ８に挿入して固定するための係止爪を有する係合部ｂ６〜ｂ９並びに該側面部Ｆ１及びＦ２の係合部ｆ１〜ｆ４を挿入して固定するために開口されたスリットｂ１〜ｂ４及び後述するベルト止め用の係合部Ｈの突起ｈ１〜ｈ４が挿入固定される横方向スリットｂ５〜ｂ７とを有してベルト取付用小物入れの背面を形成する背面部Ｂと、該背面部Ｂの他側縁と接し、作業者のベルトに装着するための湾曲部分を形成するベルト通し部Ａと、該ベルト通し部Ａの他側縁と接し、前記背面部Ｂの複数のスリ係止爪ｈ１〜ｈ４を有するスリットｂ５を表面と裏面とを交互に通すように挿入固定されるベルト係合部Ｈとから構成される。
【００２０】
なお、図６に示した展開図では、説明の簡便上、破線を加筆してベルト通し部Ａと背面部Ｂと底面部Ｃと前面部Ｄと側面部Ｆ１及びＦ２と底面取付部Ｇ１及びＧ２とベルト係合部Ｈとの複数の部位として分けて説明したが、１枚のシート基材によって構成されている。また、このシート基材は、第１実施形態で説明したシート基材同様に、可撓性があり比較的硬質で厚さが１ｍｍのポリクロロプレン製のゴム層２０ａと、該ポリクロロプレン製のゴム層２０ａと接着された可撓性があり比較的軟質な厚さ３ｍｍのポリウレタン製のゴム層２０ｂとから構成され、ゴム層を積層して接着した後にせん断打抜き加工することによって成形されている。
【００２１】
このように構成されたベルト取付用小物入れは、図７（ａ）に示す如く、底面部Ｃを床面に置いた状態で、前面部Ｄを矢印（イ）方向に立ち上げる工程と、背面部Ｂを矢印（ロ）方向に立ち上げる工程と、ベルト通し部Ａ及びベルト係合部Ｈとを一体として湾曲して折りたたみ、該ベルト係合部Ｈを前記背面部Ｂの複数のスリットｂ５に、背面部Ｂの表裏面を交互に通す「なみ縫い（ぐし縫い）」の如く取り付ける工程と、図７（ｂ）に示す如く、前記側面部Ｆ１及びＦ２の底面取付部Ｇ１及びＧ２をそれぞれ底面部Ｃの左右から底面部Ｃの表裏面を交互に通す「なみ縫い（ぐし縫い）」の如く取り付けて前面部Ｄ並びに側面部Ｆ１及びＦ２を底面部Ｃに対して略直立させる工程と、該直立した側面部Ｆ１及びＦ２の係合部ｆ１〜ｆ４を係止爪を折りたたんだ状態で背面部Ｂのスリットｂ１〜ｂ４に挿入固定すると共に該背面部Ｂの係合部ｂ６〜ｂ９を係止爪を折りたたんだ状態で側面部Ｆ１及びＦ２のスリットｆ６及びｆ７にそれぞれ挿入固定する工程とを行うことによって、全体形状が上面を開放した四角箱形且つ作業者のベルトに装着するためのベルト通し部Ａを備えるホルダとして組み立てることができる。
【００２２】
本実施形態によるベルト取付用小物入れは、積層した１枚のシート基材を図７に示す工程に基づいて組み立て、各面の接合を各面に設けたスリットに係止爪を折りたたんだ状態の係合部を挿入し、各係合部に設けた係止爪や突起が復元して抜け防止となるため、箱形状を強固に保持することができる。特に本実施形態においては、側面部Ｆ１及びＦ２と繋がる底面取付部Ｇ１及びＧ２を底面部Ｃの複数のスリットｃ１〜ｃ５を交互に通す「なみ縫い（ぐし縫い）」の如く取り付けることによって「なみ縫い（ぐし縫い）」による接触面の摩擦抵抗の増大及び突起ｇ２が各スリットにより止められ、重量物である小物を収納した際にも小物の落下を防止することができる。更に、本実施形態においては、背面部Ｂに対するベルト係合部Ｈの取り付けも前記底面部Ｃ同様に複数のスリットｂ５にベルト係合部Ｈを交互に通す「なみ縫い（ぐし縫い）」の如く行うことによって、両部位の摩擦抵抗の増大及び突起ｈ１〜ｈ４が各スリットにより止められ、重量物である小物を収納した際にも作業員のベルトからの落下を防止することができる。
【００２３】
このように前記各実施形態においては、前記スリットから係合部の抜け防止技術として、厚み（４ｍｍ）のあるスリットに厚み（４ｍｍ）のある係止爪を折りたたんだ状態の係合部を挿入し、厚み（４ｍｍ）のある係止爪や突起が強度をもち、この強度によってスリットに対して強固に連結され、組み立て後の連結強度を保つことができる。
【００２４】
以上述べたように、本考案の各実施形態によるベルト取付用小物入れは、比較的硬質な所定の硬度で比較的薄いシート状のポリクロロプレン製ゴム層と、該ポリクロロプレン製ゴム層に比して比較的軟質な硬度且つ厚いポリウレタン製ゴム層とを積層した材質によって可撓性及び弾性復元力のあるシート基材を用い、該シート基材をせん断打抜き加工によってスリット及び係止爪付きの係合部を有する複数の部位を所定形状に成形し、前記複数の部位を前記比較的硬質と軟質なゴム層により強度をもった係合部の係止爪又は突起を折りたたんでスリットに挿入し、該スリットに挿入した係合部の係止爪又は突起が弾性復元力によって元の形状に復元してスリットと強固に連結することができ、これによって、安価に組み立てが容易且つ強度を有する小物入れを提供することができる。
【符号の説明】
【００２５】
１０  本体ユニット、１１  ベルト通し部、１２  孔部、１３  ベルト止係合部、
１６  係合部ベルト止スリット、２０  カバーユニット、
２０ａ  ポリクロロプレン製のゴム層、２０ｂ  ポリウレタン製のゴム層、
２１  スリット、Ａ  ベルト通し部、Ｂ  背面部、Ｃ  底面部、Ｄ  前面部、
Ｆ１及びＦ２  側面部、Ｇ１  底面取付部、ｇ２  突起、Ｈ  ベルト係合部、
ｈ１〜ｈ４  突起
【図２】
0003169648.tif 000003
【図５】
0003169648.tif 000004
【図１】
0003169648.tif 000005
【図３】
0003169648.tif 000006
【図４】
0003169648.tif 000007
【図６】
0003169648.tif 000008
【図７】
0003169648.tif 000009